(57)【要約】      （修正有）【課題】ディジタルビデオフォーマットに準拠して録画された動画データをビデオデッキにより直接再生する。【解決手段】ＶＴＲカセットと同じ大きさでＶＴＲデッキのカセット挿入口から挿入されるケース２を備え、ケースは、ケースがＶＴＲデッキ内にセットされるとＶＴＲデッキの回転ヘッドにローディングされる無端状のビデオテープ４ａ〜４ｄ、アナログビデオデータを新たに記録する前にビデオテープの記録を消去する消去ヘッド６、半導体メモリカードが挿入されるメモリスロット部９、半導体メモリカードに録画されているディジタルビデオデータを読み出しデコーディングしてアナログビデオデータに変換する動画デコード部１０、およびアナログビデオデータをビデオテープに録画する録画ヘッド１１を有する。【選択図】図１
2009181622.tif 000002
【特許請求の範囲】
【請求項１】
ＶＴＲカセットと同じ大きさでＶＴＲデッキのカセット挿入口から挿入されるケースを備え、
上記ケースは、上記ケースが上記ＶＴＲデッキ内にセットされると上記ＶＴＲデッキの回転ヘッドにローディングされる無端状のビデオテープ、アナログビデオデータを新たに記録する前に上記ビデオテープの記録を消去する消去ヘッド、半導体メモリカードが挿入されるメモリスロット部、上記半導体メモリカードに録画されているディジタルビデオデータを読み出してデコーディングしアナログビデオデータに変換する動画デコード部、および上記アナログビデオデータを上記ビデオテープに録画する録画ヘッドを有することを特徴とするディジタル−アナログビデオデータ変換アダプタ。
【請求項２】
上記ケースは、上記ＶＴＲカセットの磁気テープを周回するビデオデッキの回転軸に嵌合して回転する回転ローラー、上記回転ローラーの回転から上記ビデオデッキでの指示が巻き戻し、早送りまたは通常再生のいずれかであるかを検出する回転検出部、および巻き戻し、早送りまたは通常再生の指示に従って上記半導体メモリカードからディジタルビデオデータを巻き戻し、早送りまたは通常再生で読み出す制御部を有することを特徴とする請求項１に記載のディジタル−アナログビデオデータ変換アダプタ。
【請求項３】
上記制御部は、上記メモリスロット部に複数の半導体メモリカードが挿入されたとき複数のディジタルビデオデータを読み出し、
上記動画デコード部は、複数のディジタルビデオデータをミキシングして一画面上に表示することを特徴とする請求項２に記載のディジタル−アナログビデオデータ変換アダプタ。
【発明の詳細な説明】
【技術分野】
【０００１】
この発明は、アナログのビデオデッキでディジタルの動画データを再生するためにアナログのビデオ信号に変換するディジタル−アナログビデオデータ変換アダプタに関するものである。
【背景技術】
【０００２】
媒体に録音されたディジタルオーディオデータをカセットテープ再生装置で再生するために、カセットテープ再生装置で使用されるカセットテープと互換形状をしたケースを有するディジタルオーディオデータ再生装置が提案されている。そして、ケースは、外部装置と圧縮符号化されたディジタルオーディオデータの入出力を行う入出力手段と、データを記憶する記憶手段と、記憶手段に記憶されたデータを読み出して伸長処理により復号を行う復号手段と、復号手段により復号されたデータをアナログ信号に変換するＤ／Ａ変換手段と、Ｄ／Ａ変換手段により変換されたアナログ信号をカセットテープ再生装置に伝達する磁気ヘッドとを収納した（例えば、特許文献１参照）。
【０００３】
【特許文献１】特開２００１−４３６６９号公報
【発明の開示】
【発明が解決しようとする課題】
【０００４】
ところで、エレベータ用の防犯カメラは、ＨＤＤに録画するタイプが主流となっているが、顧客にはＶＴＲデッキにより画像を確認したいという要望があり、ビデオテープにダビングして提供している。しかし、ビデオテープへのダビングは記録時間と同等の時間が必要となるため、エレベータを保守管理する人に多大な負担を強いることになる。
また、特許文献１に記載のディジタルオーディオデータ再生装置ではビデオデータを再生することができない。
また、ＰＣを前提としたシステムでは高齢者の管理者では操作できないという問題がある。
【０００５】
この発明の目的は、ディジタルビデオフォーマットに準拠して録画された動画データをビデオデッキにより直接再生することのできるディジタル−アナログビデオデータ変換アダプタを提供することである。
【課題を解決するための手段】
【０００６】
この発明に係るディジタル−アナログビデオデータ変換アダプタは、ＶＴＲカセットと同じ大きさでＶＴＲデッキのカセット挿入口から挿入されるケースを備え、上記ケースは、上記ケースが上記ＶＴＲデッキ内にセットされると上記ＶＴＲデッキの回転ヘッドにローディングされる無端状のビデオテープ、アナログビデオデータを新たに記録する前に上記ビデオテープの記録を消去する消去ヘッド、半導体メモリカードが挿入されるメモリスロット部、上記半導体メモリカードに録画されているディジタルビデオデータを読み出しデコーディングしてアナログビデオデータに変換する動画デコード部、および上記アナログビデオデータを上記ビデオテープに録画する録画ヘッドを有する。
【発明の効果】
【０００７】
この発明に係るディジタル−アナログビデオデータ変換アダプタの効果は、ディジタルの動画データをデコーディングしてアナログのビデオ信号に変換し、変換されたアナログのビデオ信号を無端状に周回するビデオテープに録画し、ビデオテープに録画されたアナログのビデオ信号を一般的なビデオデッキで再生するので、従来のアナログのビデオカセットをビデオデッキで再生することと同様にビデオデッキのカセット挿入口に挿入すればよく、一度ビデオカセットにダビングする必要がないことである。そのため、ダビングに要する多大な負担を強いることがなくなることである。
【発明を実施するための最良の形態】
【０００８】
図１は、この発明を実施するための最良の形態に係るディジタル−アナログビデオデータ変換アダプタの構成図である。図２は、この発明を実施するための最良の形態に係るディジタル−アナログビデオデータ変換アダプタの斜視図である。
この発明を実施するための最良の形態に係るディジタル−アナログビデオデータ変換アダプタ１は、ＶＴＲカセットと同じ大きさで図示しないＶＴＲデッキのカセット挿入口から挿入されるケース２、ケース２の内部に収納されＶＴＲデッキ内にセットされるとＶＴＲデッキの回転ヘッドにローディングされる無端状のビデオテープ３、ビデオテープ３の周回を案内する４つのガイドローラ４ａ〜４ｄ、ガイドローラ４ａ〜４ｄの１つを回転駆動するモータ５、アナログビデオデータ（以下、ＡＶデータと称す。）を新たに記録する前にビデオテープ３の記録を消去する消去ヘッド６、ＶＴＲカセットの磁気テープを周回するビデオデッキの回転軸に嵌合して回転する２つの回転ローラー７ａ、７ｂを備える。
【０００９】
また、この発明を実施するための最良の形態に係るディジタル−アナログビデオデータ変換アダプタ１は、半導体メモリカードとしてＵＳＢメモリカード８が挿入されるメモリスロット部９、ＵＳＢメモリカード８に録画されているディジタルビデオデータ（以下、ＤＶデータと称す。）を読み出しデコーディングしてＡＶデータに変換する動画デコード部１０、ＡＶデータをビデオテープ３に記録する録画ヘッド１１、回転ローラー７ａの回転を検出する回転検出部１２、回転検出部１２で検出した回転の方向および速度に従ってモータ５を制御してビデオテープの速度を調整するモータ部１３、ディジタル−アナログビデオデータ変換アダプタ１全体を制御する制御部１４、ディジタル−アナログビデオデータ変換アダプタ１に電源を供給する電池１５、電源の供給を入切する電源スイッチ１７を備える。
【００１０】
メモリカードとして、ＵＳＢメモリカード８を例に用いているが、例えばＣｏｍｐａｃｔＦｌａｓｈ、ＳｍａｒｔＭｅｄｉａ（登録商標）、ＳＤメモリカード、メモリースティック、ＭＭＣ、ｘＤピクチャーカードなどの規格に準拠したメモリカードであれば適用できる。
【００１１】
ＵＳＢメモリカード８に録画されているＤＶデータを動画デコード部１０でデコーディングしてＡＶデータに変換し、ＡＶデータを録画ヘッド１１でビデオテープ３に録画する。
ＶＴＲデッキは、ビデオテープ３に録画されたＡＶデータを再生しアナログのビデオ信号を出力する。このアナログのビデオ信号は図示しないテレビモニタに入力されて動画が表示される。
【００１２】
回転検出部１２は、ＶＴＲデッキからの早送り、巻き戻または通常再生の指示を回転ローラー７ａの回転の方向および速度から検出する。
制御部１４は、ＤＶデータを読み出すときにＤＶデータの読み出し位置を確認し、ＤＶデータの読み出しを停止するときＤＶデータのファイル名、現在の日付および時刻、読み出し位置を読出テーブルに記憶する。
例えば、４つのメモリスロット部９が備わった場合、図３に示すように、読出テーブルに直近に再生したＤＶデータに係る情報が記憶されている。ファイル名がＡＡＡＡというＤＶデータは２００７年１１月２８日の１１時１３分０５秒で読み出し位置１０分２０秒００において読み出しが停止したことを表している。
また、制御部１４は、ＤＶデータを読み出すときに、早送り、巻き戻しまたは通常再生の指示に応じたＤＶデータを読出テーブルに記憶されている読み出し位置から読み出して動画デコード部１０でＡＶデータに変換し、録画ヘッド１１を用いて変換したＡＶデータをビデオテープ３に録画する。なお、読出テーブルに現在メモリスロット部９に挿入されているＵＳＢメモリカード８に録画されているＤＶデータのファイル名が記憶されていないときには読み出し位置を先頭として読み出しを開始する。
【００１３】
また、制御部１４は、メモリスロット部９に挿入されているＵＳＢメモリカード８の数を検出してシングル画面で再生するかマルチ画面で再生するかを決定する。すなわち、４つのメモリスロット部９のうち１つのメモリスロット部９にだけＵＳＢメモリカード８が挿入されているときシングル画面で再生する。一方、４つのメモリスロット部９のうち２つ以上のメモリスロット部９にＵＳＢメモリカード８が挿入されているとき４画面のマルチ画面で再生する。
また、制御部１４は、４画面のマルチ画面で再生するときメモリスロット部９に挿入されている複数のＵＳＢメモリカード８からＤＶデータを読み出し、読み出した複数のＤＶデータを動画デコード部１０に入力する。動画デコード部１０は入力された複数のＤＶデータをミキシングして一画面のＡＶデータに変換して出力する。
【００１４】
次に、この発明に係るディジタル−アナログビデオデータ変換アダプタ１を用いてＵＳＢメモリカード８に録画されたＤＶデータをＴＶモニタに再生する再生処理手順を説明する。図４は、この発明に係るディジタル−アナログビデオデータ変換アダプタ１を用いてＵＳＢメモリカード８に録画されている動画データを再生する再生処理手順を示すフローチャートである。
再生処理に先立ってディジタル−アナログビデオデータ変換アダプタ１のメモリスロット部９にＵＳＢメモリカード８を挿入してから電源スイッチ１７をＯＮする。それから、ディジタル−アナログビデオデータ変換アダプタ１をＶＴＲデッキのＶＴＲテープ挿入口から挿入する。
【００１５】
ステップＳ１０１で、回転ローラー７ａが回転しているか否かを判断し、回転ローラー７ａが回転しているときステップＳ１０２に進み、回転ローラー７ａが回転していないときステップＳ１０１を繰り返す。
ステップＳ１０２で、４つのメモリスロット部９のうち２つ以上にＵＳＢメモリカード８が挿入されているか否かを判断し、１つしかＵＳＢメモリカード８が挿入されていなければステップＳ１０３に進み、２つ以上のＵＳＢメモリカード８が挿入されているときはステップＳ１０５に進む。
【００１６】
ステップＳ１０３で、読出テーブルから挿入されているＵＳＢメモリカード８に録画されているＤＶデータの再生を開始する位置を特定する。ＤＶデータを識別するファイル名が読出テーブルに記憶されているときには再生を開始する位置を読み出し位置とし、ファイル名が読出テーブルに記憶されていないときには再生を開始する位置を先頭とする。
ステップＳ１０４で、再生を開始する位置から再生を開始する。
【００１７】
ステップＳ１０５で、読出テーブルから挿入されている各ＵＳＢメモリカード８に録画されているＤＶデータの再生を開始する位置を特定する。ＤＶデータを識別するファイル名が読出テーブルに記憶されているときには再生を開始する位置を読み出し位置とし、ファイル名が読出テーブルに記憶されていないときには再生を開始する位置を先頭とする。
ステップＳ１０６で、画面を４つの領域に分割してＵＳＢメモリカード８に対応する領域で再生を開始する位置から再生を開始する。
【００１８】
ステップＳ１０７で、回転ローラー７ａが巻き戻しされているか否かを判断し、回転ローラー７ａが巻き戻しされているときステップＳ１０８に進み、回転ローラー７ａが巻き戻しされていないときステップＳ１１１に進む。
ステップＳ１０８で、読み出し位置が先頭か否かを判断し、読み出し位置が先頭のときステップＳ１０９に進み、読み出し位置が先頭でないときステップＳ１１０に進む。
ステップＳ１０９で、読み出し位置を最後尾としてステップＳ１１０に進む。
ステップＳ１１０で、巻き戻し再生してステップＳ１０７に戻る。
【００１９】
ステップＳ１１１で、回転ローラー７ａが早送りされているか否かを判断し、回転ローラー７ａが早送りされているときステップＳ１１２に進み、回転ローラー７ａが早送りされていないときステップＳ１１５に進む。
ステップＳ１１２で、読み出し位置が最後尾か否かを判断し、読み出し位置が最後尾のときステップＳ１１３に進み、読み出し位置が最後尾でないときステップＳ１１４に進む。
ステップＳ１１３で、読み出し位置を先頭としてステップＳ１１４に進む。
ステップＳ１１４で、早送り再生してステップＳ１０７に戻る。
【００２０】
ステップＳ１１５で、回転ローラー７ａが通常再生で回転されているか否かを判断し、回転ローラー７ａが通常再生で回転されているときステップＳ１１６に進み、回転ローラー７ａが通常再生で回転されていないときステップＳ１１９に進む。
ステップＳ１１６で、読み出し位置が最後尾か否かを判断し、読み出し位置が最後尾のときステップＳ１１７に進み、読み出し位置が最後尾でないときステップＳ１１８に進む。
ステップＳ１１７で、読み出し位置を先頭としてステップＳ１１８に進む。
ステップＳ１１８で、通常再生してステップＳ１０７に戻る。
【００２１】
ステップＳ１１９で、回転ローラー７ａが停止しているか否かを判断し、回転ローラー７ａが停止しているときステップＳ１２０に進み、回転ローラー７ａが回転しているときステップＳ１０７に戻る。
ステップＳ１２０で、現在メモリスロット部９に挿入されているＵＳＢメモリカード８に録画されているＤＶデータのファイル名、現在の日付、時刻、読み出し位置を読出テーブルに記憶して再生処理手順を終了する。
【００２２】
この発明に係るディジタル−アナログビデオデータ変換アダプタ１は、ディジタルの動画データをデコーディングしてアナログのビデオ信号に変換し、変換されたアナログのビデオ信号を無端状に周回するビデオテープ３に録画し、ビデオテープ３に録画されたアナログのビデオ信号を一般的なビデオデッキで再生するので、従来のアナログのビデオカセットをビデオデッキで再生することと同様にビデオデッキのカセット挿入口に挿入すればよく、一度ビデオカセットにダビングする必要がない。そのため、ダビングに要する多大な負担を強いることがなくなる。
【００２３】
また、複数のディジタルの動画データをミキシングしてからデコーディングし一画面の中に複数の動画データを表示するので、同時に複数の動画データを確認することができ、確認作業時間を短縮化できる。
また、直近に動画データを再生したときに再生を停止した位置を読出テーブルに記憶しておき、再度その動画データを再生するときには読出テーブルに記憶された位置から再生を開始するので、再生の途中で再生を中断し再開しても動画データの先頭から再生するという無駄な時間の発生を防止できる。
【００２４】
また、ＶＴＲデッキの巻き戻し、早送りまたは通常再生をＶＴＲデッキのカセットテープを走行させる回転軸の回転の方向および速度から検出する回転検出部を有し、巻き戻し、早送りまたは通常再生に従ってディジタルの動画データを読み出してビデオテープに録画するので、巻き戻しおよび早送りでも動画データを再生することができる。
【図面の簡単な説明】
【００２５】
【図１】この発明を実施するための最良の形態に係るディジタル−アナログビデオデータ変換アダプタの構成図である。
【図２】この発明を実施するための最良の形態に係るディジタル−アナログビデオデータ変換アダプタの斜視図である。
【図３】ディジタルの動画データの読み出しを停止するときに読み出し位置を記憶する読出テーブルのデータ構造である。
【図４】この発明に係るディジタル−アナログビデオデータ変換アダプタを用いてＵＳＢメモリカードに録画されているディジタルの動画データを再生する再生処理手順を示すフローチャートである。
【符号の説明】
【００２６】
１  ディジタル−アナログビデオデータ変換アダプタ、２  ケース、３  ビデオテープ、４ａ〜４ｄ  ガイドローラ、５  モータ、６  消去ヘッド、７ａ、７ｂ  回転ローラー、８  メモリカード、９  メモリスロット部、１０  動画デコード部、１１  録画ヘッド、１２  回転検出部、１３  モータ部、１４  制御部、１５  電池、１７  電源スイッチ。
【図１】
2009181622.tif 000003
【図２】
2009181622.tif 000004
【図３】
2009181622.tif 000005
【図４】
2009181622.tif 000006